(57)【要約】      （修正有）【課題】病院・ビルディング・工場・住宅等建物で使用されている冷暖房機の室外機の風力を活用した小型風力発電装置を提供する。【解決手段】冷暖房機を活用した小型風力発電の場合は、新規では室外機１の大きさに合わせた一体物として発電機をセットする。また、既存の室外機１では、それに合った風力発電機をセットできるものを作成し設置する。室外機１と発電機５が設置場所の関係で奥行きがとれない場合は、ウォームギヤ等３にて回転方向を変え発電する。発電されたものは蓄電できる様にして利用可能時間に幅を持たせる。また、自然風力発電の小型機で、病院・ビルディング・工場・住宅等建物型の場合は、建物により条件として風力発電の羽根の長さを変えるが、基本的に一枚で２ｍ以内とする。屋上や側面にできるだけ多く設置し、発電されたものを集合蓄電して利用可能時間に幅をもたせる。【選択図】図１
0003155160.tif 000002
【実用新案登録請求の範囲】
【請求項１】
冷暖房機の室外機を活用した風力発電装置
【請求項２】
機体表面に酸化チタン加工したことを特徴とする冷暖房機、及び冷暖房機の室外機を活用した風力発電装置。
【請求項３】
自然を利用した建物設置の複数の小型風力発電機と、その電気を集合して蓄電する装置。
【請求項４】
機体表面に酸化チタン加工したことを特徴する、自然を利用した建物設置の小型風力発電機及び蓄電装置。
【考案の詳細な説明】
【技術分野】
【０００１】  本考案は、冷暖房機の室外機を活用した小型風力発電と、建物の屋上及び側面を利用した小型風力発電の電気を集合し、蓄電するものである。
小型風力発電の大きさで、室外機の場合はその室外機に合ったものとし、自然の風を利用した建物用の場合は、建物に見合った大きさを基本とする。一般的に羽根の一枚の長さが２ｍ以下のものとする。
【背景技術】
【０００２】  冷暖房機は室外機で外気を利用し、空気対流させその機能を発揮させているが、この風力を活用しようとするものである。建物は外気の気流を常に受けているが、場所により気流が速く、この力を利用しようとするものである。
【考案の概要】
【考案が解決しようとする課題】
【０００３】  風力発電は空気の流れを利用し、羽根で流れを受け回転運動を起こして発電するものである。
本考案は、風力発電するに当たり、冷暖房機の室外機で発せられる風力を活用し、発電するものである。また、建物が受ける空気の流れを利用し、複数基の小型風力発電機を設置し、電気を集合して蓄電しようとするものである。
人は物的生産及び日常生活において電気が必要であり、その使用量を少なくしようと努力している。無駄を省き効率的な生活をする為に小型風力発電をして、その目的に役立てようとするものである。
【課題を解決するための手段】
【０００４】  冷暖房機の室外機を活用した小型風力発電の場合は、冷暖房機の機能を発揮させる為ファンで強風を送っている。その風を羽根で受け、回転運動をさせ発電しようとするものである。
また、病院・ビルディング・工場・住宅等、建物の周囲は、谷間の風が発生し強い風となる。屋上は高所の為風が発生しやすい。この風を利用し、複数基で小型風力発電を行い、配線にて集合し蓄電しようとするものである。
この小型風力発電の場合、大気の汚れで清掃に問題が発生するが、それぞれの機体表面に酸化チタン加工することで、触媒効果と親水性で雨水や水洗いで汚れが落ち、機体の保持と美観に役立つ。
【考案の効果】
【０００５】  上述の様に、冷暖房機の室外機の風力は大きく風力発電に適しているし、電気を使って風力を起こしているので、反面でその風を活用し発電することで、電気の回収の役割をもたらす。
また、建物が受ける空気の流れは建物が大きい程風力も増し、総力は大きなものであり、複数基設置すれば発電量も増す。この電気の利用価値は、送電で受ける電気と同じく幅広く活用できる。節電になると共に省エネルギー・環境保全に役立つ。
また機体表面の酸化チタン加工で、清掃等維持管理費が安価で済む。
【図面の簡単な説明】
【０００６】
【図１】本考案の冷暖房機の室外機を利用したウォームギヤタイプの風力発電の平面図の例である。
【図２】本考案の冷暖房機の室外機を利用したウォームギヤタイプの風力発電の側面図の例である。
【図３】本考案の建物で住宅用としての小型風力発電の設置例である。
【考案を実施するための形態】
【０００７】  冷暖房機を活用した小型風力発電の場合は、新規では室外機の大きさに合わせた一体物として発電機をセットする。また、既存の室外機では、それに合った風力発電機をセットできるものを作成し設置する。室外機と発電機が設置場所の関係で奥行きがとれない場合は、ウォームギヤ等にて回転方向を変え発電する。発電されたものは蓄電できる様にして利用可能時間に幅を持たせる。
また、自然風力発電の小型機で、病院・ビルディング・工場・住宅等建物型の場合は、建物により条件として風力発電の羽根の長さを変えるが、基本的に一枚で２ｍ以内とする。屋上や側面にできるだけ多く設置し、発電されたものを集合蓄電して利用可能時間に幅をもたせる。
【実施例】
【０００８】  病院・介護施設においては、冷暖房機の運転時間も長く、風力発電すると大きな利用価値が生まれる。【０００９】  工場では建物も広く冷暖房機も大型となる。運転時の風力を利用し発電すれば大きな電力が発生する。この電力を活用すればコストダウンに結びつく。【００１０】  家庭においても少量利用の電気代の節約となり家計が助かる。また活用される家庭が多くなれば省エネルギーの総合力となり、大いに国家社会に貢献できる。【００１１】  自然の風を利用した小型風力発電については、ビルディングの多いところは谷間の風が発生し風速も速く、複数設置すれば大きな電力となり、ビルディングの維持管理費の削減に役立つ。【００１２】  上述風力発電機は大気汚染を受け、維持管理の大切さも考えなければならない。機体表面を酸化チタン加工しておくと、触媒効果と親水性の働きにより、雨水・水洗等で美観も保て、耐用年数にプラスに成る。維持費の節減に役立てる。
【産業上の利用可能性】
【００１３】  冷暖房機の室外機へ風力発電を設置した場合で、病院・ビルディング・工場は大型で風力発電の電力量も多くなる。蓄電しておけば利用幅が広がり、省エネルギーと環境保全に役立つ。【００１４】  上述機の設置で清掃等のメンテナンスを心配するが、機体表面を酸化チタン加工しておくと、汚れは触媒効果と親水性により雨水・水洗等にて汚れが落ち、維持管理費の節減となる。
【符号の説明】
【００１５】１．冷暖房機の室外機
２．風力発電用の羽根
３．ウォームギヤ
４．シャフト
５．発電及び蓄電器
６．冷暖房用配管
７．自然風の小型風力発電
８．配線
９．蓄電器
１０．機体表面の酸化チタン加工
【図１】
0003155160.tif 000003
【図２】
0003155160.tif 000004
【図３】
0003155160.tif 000005
【手続補正書】
【提出日】平成21年8月11日(2009.8.11)
【手続補正１】
【補正対象書類名】実用新案登録請求の範囲
【補正対象項目名】全文
【補正方法】変更
【補正の内容】
【実用新案登録請求の範囲】
【請求項１】
冷暖房機の室外機の近隣に風力発電用の羽根を設置し、室外機の風で風力発電用の羽根の回転により風力発電することを特徴とする冷暖房機型風力発電装置。
【請求項２】
汚れ防止を目的として請求項１の冷暖房機の室外機及び風力発電装置の機体表面を酸化チタン加工したことを特徴とする冷暖房機型凰力発電装置。
【請求項３】
自然の風を利用した風力発電装置を建物に設置したもので請求項１に記載の冷暖房機型風力発電装置と組合せしたことを特徴とする建物設置型風力発電装置。
【請求項４】
汚れ防止を目的として請求項３の建物設置型風力発電装置の機体表面を酸化チタン加工したことを特徴とする建物設置型風力発電装置。